(57)【特許請求の範囲】
【請求項１】
床面上を転動する車輪を有した本体部と、前記本体部内に配される電動送風機と、前記本体部内に着脱可能に配して塵埃を集塵する集塵部と、床面に対峙して前記電動送風機の駆動により床面の塵埃を吸い込む吸込口体と、前記本体部と前記吸込口体との間に配される可撓性の接続ホースと、回転軸を横設して前記電動送風機に面して配置されるとともに電源コードが巻回されるコードリールと、前記本体部の上面に設けられるとともに前記電源コードのプラグを収納する凹部と、前記凹部の底面に開口して前記電源コードを出し入れする開口部と、前記コードリールから上方に延びて前記開口部に連結されるとともに前記電源コードが挿通される案内部とを備えたキャニスター型の電気掃除機において、前記集塵部の少なくとも一部が前記電動送風機の鉛直上方に配置されることを特徴とする電気掃除機。
【請求項２】
前記集塵部が旋回気流により塵埃を分離する内周面が断面円形の集塵容器を有して軸方向を立設して配置されるとともに、着脱時に把持されるハンドルを上面に有することを特徴とする請求項１に記載の電気掃除機。
【請求項３】
前記集塵部の軸方向を鉛直に対して上部が後方になるように傾斜して配置するとともに前記集塵部の後面に気流の流出口を設け、回転軸を立設した前記電動送風機の上面に開口する吸気口と前記流出口とを前記集塵部の後方に配したダクトにより接続したことを特徴とする請求項２に記載の電気掃除機。
【請求項４】
前記電動送風機の前記回転軸を鉛直に対して上部が後方になるように傾斜して配置したことを特徴とする請求項３に記載の電気掃除機。
【請求項５】
前記開口部または前記ハンドルを床面から４０ｃｍ以上の高さに配置したことを特徴とする請求項２〜請求項４のいずれかに記載の電気掃除機。
【発明の詳細な説明】
【技術分野】
【０００１】
本発明は、着脱可能な集塵部を備えたキャニスター型の電気掃除機に関する。
【背景技術】
【０００２】
従来の電気掃除機は特許文献１に開示されている。この電気掃除機は床面上を転動する車輪を有した本体部と吸込口を開口した吸込口体との間に可撓性の接続ホースが設けられたキャニスター型に構成される。接続ホースの一端は本体部の前面に設けた接続口に接続され、他端には延長パイプが接続される。延長パイプの上端には使用者が把持する把持部が設けられ、下端に吸込口体が接続される。
【０００３】
本体部の後部には吸込気流を発生する電動送風機が軸方向を水平に配される。本体部の前部には上方から着脱可能な集塵部が配される。集塵部は断面円形の集塵容器内に旋回気流を形成して塵埃を分離するサイクロン式に構成される。
【０００４】
上記構成の電気掃除機において、電動送風機を駆動して使用者が把持部を把持して吸込口体を移動させると、吸込口から床面の塵埃を含む気流が吸い込まれる。吸込口から吸い込まれた気流は延長パイプ及び接続ホースを流通し、接続口を介して本体部内の集塵部に流入する。
【０００５】
集塵部に流入した気流は集塵容器内で旋回し、遠心力によって分離された塵埃が集塵容器内に集塵される。塵埃を除去された気流は電動送風機を通過して排気される。これにより、床面の掃除が行われる。また、集塵部を本体部から取り外し、集塵容器内に堆積した塵埃が廃棄される。
【先行技術文献】
【特許文献】
【０００６】
【特許文献１】特開２０１１−２５５１９６号公報（第５頁−第１１頁、第３図）
【発明の概要】
【発明が解決しようとする課題】
【０００７】
しかしながら、上記従来の電気掃除機によると、集塵部が電動送風機の前方に配され、本体部の高さが低く形成される。このため、高齢の使用者や車椅子に座る使用者が屈んで本体部の上面から集塵部を着脱する必要がある。従って、使用者の負担が大きく、電気掃除機の利便性が悪い問題があった。
【０００８】
本発明は、使用者の負担を軽減して利便性を向上できる電気掃除機を提供することを目的とする。
【課題を解決するための手段】
【０００９】
上記目的を達成するために本発明は、床面上を転動する車輪を有した本体部と、前記本体部内に配される電動送風機と、前記本体部内に着脱可能に配して塵埃を集塵する集塵部と、床面に対峙して前記電動送風機の駆動により床面の塵埃を吸い込む吸込口体と、前記本体部と前記吸込口体との間に配される可撓性の接続ホースとを備えたキャニスター型の電気掃除機において、前記集塵部の少なくとも一部が前記電動送風機の鉛直上方に配置されることを特徴としている。
【００１０】
この構成によると、使用者が吸込口体を移動させると、本体部が接続ホースの牽引によって床面上を移動する。電動送風機の駆動によって吸込口から床面の塵埃を含む気流が吸い込まれ、接続ホースを介して集塵部に流入する。気流に含まれる塵埃は集塵部で分離して集塵され、塵埃を除去された気流が電動送風機を通過して排気される。また、集塵部を本体部から取り外し、集塵部内に堆積した塵埃が廃棄される。この時、集塵部が電動送風機の上方に配置されるため本体部の高さが高く形成され、高齢の使用者や車椅子に座る使用者が屈まずに集塵部を着脱することができる。
【００１１】
また本発明は、上記構成の電気掃除機において、前記集塵部が旋回気流により塵埃を分離する内周面が断面円形の集塵容器を有して軸方向を立設して配置されるとともに、着脱時に把持されるハンドルを上面に有することを特徴としている。この構成によると、集塵部は集塵容器の軸方向を立設して電動送風機の上方に配置される。集塵容器に流入する気流は旋回して遠心力により塵埃が分離され、集塵部から流出する。集塵部は上面に設けられたハンドルを把持して着脱され、集塵容器内の塵埃が廃棄される。
【００１２】
また本発明は、上記構成の電気掃除機において、前記集塵部の軸方向を鉛直に対して上部が後方になるように傾斜して配置するとともに前記集塵部の後面に気流の流出口を設け、回転軸を立設した前記電動送風機の上面に開口する吸気口と前記流出口とを前記集塵部の後方に配したダクトにより接続したことを特徴としている。  
【００１３】
この構成によると、集塵部が電動送風機の上方に被さるように傾斜して配置される。集塵部で塵埃を除去された気流は集塵部の後面に設けた流出口から流出し、ダクトを介して電動送風機の上面に設けた吸気口に導かれる。
【００１４】
また本発明は、上記構成の電気掃除機において、前記電動送風機の前記回転軸を鉛直に対して上部が後方になるように傾斜して配置したことを特徴としている。
【００１５】
また本発明は、上記構成の電気掃除機において、前記本体部に開口して電源コードを出し入れする開口部を備え、前記開口部または前記ハンドルを床面から４０ｃｍ以上の高さに配置したことを特徴としている。この構成によると、本体部に設けた開口部から引き出された電源コードを商用電源のコンセントに接続して電気掃除機が駆動される。この時、開口部が床面から４０ｃｍ以上の高さに配置されるため、高齢の使用者や車椅子に座る使用者が屈まずに電源コードを引き出すことができる。
【００１６】
また本発明は、上記構成の電気掃除機において、回転軸を横設して前記電気掃除機に面して配置されるとともに前記電源コードが巻回されるコードリールと、前記コードリールから上方に延びて前記開口部に連結されるとともに前記電源コードが挿通される案内部とを備えたことを特徴としている。この構成によると、電動送風機の側方や後方に配置されるコードリールに巻き取られた電源コードが案内部に挿通され、開口部から引き出される。
【発明の効果】
【００１７】
本発明によると、集塵部の少なくとも一部が電動送風機の鉛直上方に配置されるので、本体部の高さが高く形成される。これにより、高齢の使用者や車椅子に座る使用者が屈まずに集塵部を着脱して塵埃を廃棄することができる。従って、使用者の負担を軽減して電気掃除機の利便性を向上することができる。
【図面の簡単な説明】
【００１８】
【図１】本発明の第１実施形態の電気掃除機を示す斜視図
【図２】本発明の第１実施形態の電気掃除機の本体部を示す側面断面図
【図３】本発明の第１実施形態の電気掃除機の本体部の内部を示す背面図
【図４】本発明の第２実施形態の電気掃除機の本体部を示す側面断面図
【図５】本発明の第２実施形態の電気掃除機の本体部の内部を示す上面図
【図６】本発明の第２実施形態の電気掃除機の本体部の内部を示す背面図
【図７】本発明の第３実施形態の電気掃除機の本体部を示す側面断面図
【図８】本発明の第３実施形態の電気掃除機の本体部の内部を示す背面図
【発明を実施するための形態】
【００１９】
以下に本発明の実施形態を図面を参照して説明する。図１は第１実施形態の電気掃除機の斜視図を示している。電気掃除機１は車輪１５（図２参照）を有する本体部２と吸込口（不図示）を有する吸込口体５との間に可撓性の接続ホース４を配したキャニスター型に構成される。
【００２０】
本体部２には床面上を転動する車輪１５（図２参照）が設けられる。本体部２の背面には引き出し及び収納が可能な電源コード８が設けられる。電源コード８は電源プラグ９を先端に有し、商用電源のコンセントに差し込んで本体部２に電力供給される。
【００２１】
本体部２の前面には接続口１６（図２参照）が開口して可撓性の接続ホース３が接続される。接続ホース３の先端には延長パイプ４が接続され、延長パイプ４の先端には床面に対峙する吸込口（不図示）を開口した吸込口体５が設けられる。また、延長パイプ４の上端には把持部１３及び操作部１４が設けられる。使用者により把持部１３を把持して吸込口体５を移動し、操作部１４の操作により掃除運転が実行される。
【００２２】
図２は本体部２の側面断面図を示しており、図３は本体部２の内部の背面図を示している。本体部２は樹脂成形品の筐体１０により覆われる。筐体１０に設けられる車輪１５は前輪１５ａ及び後輪１５ｂを有している。前輪１５ａは筐体１０の底面前部に設けられ、自在車輪により形成される。後輪１５ｂは筐体１０の後部の両側面に設けられ、水平な回転軸で回転する。
【００２３】
筐体１０の前面１０ａは下方が後方に傾斜した傾斜面から成り、前面１０ａの上部に接続口１６が設けられる。接続口１６の下方には後述する集塵部２０が突出する窓部１０ｂが開口する。
【００２４】
本体部２の筐体１０内の底部には電動送風機３０が配される。電動送風機３０はモータ（不図示）により回転するファン（不図示）を有してハウジング３１により覆われ、回転軸が立設される。この時、電動送風機３０の回転軸は鉛直に対して上部が後方になるように若干傾斜する。ハウジング３１の上面には吸気口３０ａが開口し、ハウジング３１の周面には排気口（不図示）が開口する。
【００２５】
本体部２の上部には着脱可能な集塵部２０が配される。集塵部２０は上面を開口した有底筒状の集塵容器２１の上方にフィルタユニット２２が取り付けられる。集塵容器２１は内周面が断面円形の透明な樹脂成形品により形成され、フィルタユニット２２は集塵容器２１と略同径の平面視円形の樹脂成形品により形成される。集塵部２０は軸方向を鉛直に対して上部が後方になるように僅かに傾斜して立設される。集塵部２０は軸方向の傾斜により底部を窓部１０ｂから前方に突出して装着される。これにより、集塵容器２１内に堆積した塵埃を容易に視認することができる。
【００２６】
集塵容器２１の外周面には接続口１６に密接する流入口２１ａが設けられる。流入口２１ａは集塵容器２１の周接線方向に気流を流入させ、集塵容器２１内に旋回気流を形成する。旋回気流の遠心力によって気流に含まれる比較的大きな塵埃が分離されて集塵容器２１内に集塵される。従って、集塵部２０は旋回気流により集塵するサイクロン式に構成される。
【００２７】
フィルタユニット２２は集塵容器２１の上面の開口部を覆うフィルタ（不図示）を内装する。フィルタによって細かい塵埃が捕集される。フィルタユニット２２の後面には気流の流出口２２ａが開口する。また、フィルタユニット２２の上面には集塵部２０を着脱する際に把持されるハンドル２３が設けられる。
【００２８】
集塵部２０は軸方向を立設して一部の範囲Ａ１が電動送風機３０の鉛直上方に配置され、集塵部２０と電動送風機３０とが平面視重なる。これにより、本体部２の高さが高くなり、高齢の使用者や車椅子に座る使用者が屈まずに楽な姿勢でハンドル２３を把持して集塵部２０を着脱することができる。この時、ハンドル２３を床面Ｆから４０ｃｍ以上の高さに配置すると、より確実に楽な姿勢で集塵部２０を着脱することができる。
【００２９】
また、集塵部２０は軸方向を鉛直に対して上部が後方になるように僅かに傾斜し、電動送風機３０に被さるように配される。これにより、集塵容器２１の底面の前部が電動送風機３０の上端よりも上方に配される。
【００３０】
集塵部２０の流出口２２ａと電動送風機３０の吸気口３０ａとは集塵部２０の後方に配したダクト２５により接続される。集塵部２０の軸方向が傾斜するため、集塵部２０及び電動送風機３０を省スペースで配置できるとともに、ダクト２５を大きく屈曲させずに簡単に設置することができる。また、電動送風機３０の軸方向が傾斜するため、より簡単にダクト２５を設置することができる。
【００３１】
電動送風機３０の後方には各部を制御する制御基板（不図示）を備えた電装部３８が配置される。電動送風機３０の左側方には電源コード８が巻回されるコードリール３５が設置される。コードリール３５は回転軸を横設して回転面を電動送風機３０に面して配置される。これにより、重量の大きい電動送風機３０やコードリール３５が本体部２の底部に配置され、高さの高い本体部２の転倒を防止することができる。
【００３２】
筐体１０の後部上面にはプラグ９を収納する凹部１１が設けられ、凹部１１の底面に設けた開口部１１ａを介して電源コード８が出し入れされる。電源コード８はコードリール３５から上方に延びて開口部１１ａに連結される管状の案内部３７に挿通され、プラグ９を把持して引き出される。
【００３３】
凹部１１の前方にはコードリール３５から上方に延びて筐体１０の上面に突出する押しボタン３６が設けられる。押しボタン３６の押圧によって電源コード８がコードリール３５に巻き取られる。電源コード８を案内部３７に挿通するため、電源コード８を安定して出し入れすることができる。
【００３４】
また、筐体１０に開口する開口部１１ａや押しボタン３６の上端が床面Ｆから４０ｃｍ以上の高さに配置される。これにより、高齢の使用者や車椅子に座る使用者が屈まずに楽な姿勢で電源コード８を引き出すとともに巻き取ることができる。
【００３５】
上記構成の電気掃除機１において、操作部１４の操作により電動送風機３０が駆動され、把持部１３の前後移動によって吸込口体５が床面上を前後方向に移動する。また、接続ホース３の牽引によって本体部２が床面Ｆ上を移動する。電動送風機３０の駆動によって床面上の塵埃を含む気流が吸込口体５の吸込口（不図示）から吸い込まれる。
【００３６】
塵埃を含む気流は延長パイプ４及び接続ホース３を流通し、流入口２１ａを介して集塵容器２１に流入する。集塵容器２１に流入した気流は旋回して比較的大きな塵埃を分離され、フィルタユニット２２のフィルタにより細かい塵埃が捕集される。
【００３７】
塵埃を除去された気流は流出口２２ａを介して集塵部２０から流出し、ダクト２５を流通して電動送風機３０の吸気口３０ａに導かれる。吸気口３０ａから電動送風機３０内に流入した気流は排気口（不図示）から流出し、筐体１０の外部に廃棄される。これにより、床面Ｆの掃除が行われる。
【００３８】
掃除が終了すると、ハンドル２３を把持して集塵部２０が本体部２から上方に取り出される。使用者は集塵容器２１からフィルタユニット２２を取り外し、集塵容器２１内に堆積した塵埃を廃棄する。塵埃を廃棄した集塵部２０は上方から本体部２に装着される。
【００３９】
本実施形態によると、集塵部２０の一部の範囲Ａ１が電動送風機３０の鉛直上方に配置されるので、本体部２の高さが高く形成される。これにより、高齢の使用者や車椅子に座る使用者が屈まずに集塵部２０を着脱して塵埃を廃棄することができる。従って、使用者の負担を軽減して電気掃除機１の利便性を向上することができる。
【００４０】
また、集塵部２０が断面円形の集塵容器２１を有して軸方向を立設して配置され、ハンドル２３を上面に有する。これにより、集塵部２０の着脱時に把持されるハンドル２３の位置を容易に高くすることができる。
【００４１】
また、集塵部２０が軸方向を傾斜して後面に流出口２２ａが設けられ、電動送風機３０が回転軸を立設して上面に吸気口３０ａが設けられる。そして、流出口２２ａと吸気口３０ａとが集塵部２０の後方に配したダクト２５により接続される。従って、集塵部２０及び電動送風機３０を省スペースで配置でき、筐体１０を小型化して電気掃除機１のコストを削減することができる。また、ダクト２５を大きく屈曲させずに圧力損失を小さくして簡単に設置することができる。
【００４２】
また、電動送風機３０の回転軸の軸方向を鉛直に対して上部が後方になるように傾斜して配置したので、より簡単にダクト２５を設置することができる。
【００４３】
また、ハンドル２３を床面Ｆから４０ｃｍ以上の高さに配置したので、使用者の負担をより確実に軽減することができる。
【００４４】
また、電源コード８を出し入れする開口部１１ａを床面Ｆから４０ｃｍ以上の高さに配置したので、高齢の使用者や車椅子に座る使用者が屈まずに電源コード８を引き出すことができる。従って、使用者の負担をより軽減することができる。
【００４５】
また、コードリール３５が回転軸を横設して電気掃除機３０に面して配置され、コードリール３５から上方に延びて開口部１１ａに連結される案内部３７に電源コード８を挿通したので、電源コード８を安定して出し入れすることができる。
【００４６】
また、電源コード８をコードリール３５に巻き取る押しボタン３６を床面Ｆから４０ｃｍ以上の高さに配置したので、高齢の使用者や車椅子に座る使用者が屈まずに電源コード８を巻き取ることができる。従って、使用者の負担をより軽減することができる。
【００４７】
次に、図４は第２実施形態の電気掃除機１の本体部２の側面断面図を示しており、図５、図６は本体部２の内部の上面図及び背面図を示している。説明の便宜上、前述の図１〜図３に示す第１実施形態と同一の部分は同一の符号を付している。本実施形態は第１実施形態に対して電動送風機３０及び電装部３８の配置が異なっている。その他の部分は第１実施形態と同様である。
【００４８】
電動送風機３０は回転軸を鉛直に配置される。電動送風機３０の左側方にはコードリール３５が配置される。電装部３８は電動送風機３０に面し、電動送風機３０とコードリール３５との間に配置される。
【００４９】
集塵部２０は第１実施形態と同様に、軸方向を立設して一部の範囲Ａ２が電動送風機３０の鉛直上方に配置され、集塵部２０と電動送風機３０とが平面視重なる。また、集塵部２０は軸方向を鉛直に対して上部が後方になるように僅かに傾斜し、電動送風機３０に被さるように配される。
【００５０】
本実施形態によると、第１実施形態と同様に、集塵部２０の一部の範囲Ａ２が電動送風機３０の鉛直上方に配置されるので、本体部２の高さが高く形成される。これにより、高齢の使用者や車椅子に座る使用者が屈まずに集塵部を着脱して塵埃を廃棄することができる。従って、使用者の負担を軽減して電気掃除機１の利便性を向上することができる。
【００５１】
尚、第１実施形態に比べると、集塵部２０が電動送風機３０に対して若干前方に配される。このため、集塵部２０が本体部２の前方に配置されることから本体部２の高さが低くなるが、本体部２の安定した移動が可能となるため本体部２の転倒が防止される。
【００５２】
次に、図７は第３実施形態の電気掃除機１の本体部２の側面断面図を示しており、図８は本体部２の内部の背面図を示している。説明の便宜上、前述の図１〜図３に示す第１実施形態と同一の部分は同一の符号を付している。本実施形態は第１実施形態に対してコードリール３５及び電装部３８の配置が異なっている。その他の部分は第１実施形態と同様である。
【００５３】
コードリール３５は電動送風機３０の後方に回転面を面して配置される。電装部３８は電動送風機３０の左側方に面して配置される。また、集塵部２０は第１実施形態と同様に、軸方向を立設して一部の範囲Ａ３が電動送風機３０の鉛直上方に配置され、集塵部２０と電動送風機３０とが平面視重なる。
【００５４】
従って、第１実施形態と同様に、本体部２の高さが高く形成される。これにより、高齢の使用者や車椅子に座る使用者が屈まずに集塵部２０を着脱して塵埃を廃棄することができる。従って、使用者の負担を軽減して電気掃除機１の利便性を向上することができる。
【００５５】
第１〜第３実施形態において、集塵部２０の一部が電動送風機３０の鉛直上方に配置されるが、集塵部２０の全体が電動送風機３０の鉛直上方に配置されてもよい。
【００５６】
また、本体部２は高さが高いため、電動送風機３０やコードリール３５を本体部２の底部に配置して転倒が防止される。本体部２は前面１０ａに設けた接続口１６が接続ホース３を介して牽引される。このため、電動送風機３０を本体部２の前部に配置すると牽引時の本体部２の転倒をより確実に防止することができる。
【００５７】
また、接続口１６を本体部２の前面下部に形成し、筐体１０内に接続口１６と集塵部２０の流入口２１ａとを連結するダクトを設けてもよい。これによっても、接続口１６の牽引による本体部２の転倒を防止することができる。
【産業上の利用可能性】
【００５８】
本発明によると、着脱可能な集塵部を備えたキャニスター型の電気掃除機に利用することができる。
【符号の説明】
【００５９】
１    電気掃除機
２    本体部
３    接続ホース
４    延長パイプ
５    吸込口体
８    電源コード
１０    筐体
１０ｂ  窓部
１１    凹部
１１ａ  開口部
１３    把持部
１５    車輪
１６    接続口
２０    集塵部
２１    集塵容器
２１ａ  流入口
２２    フィルタユニット
２２ａ  流出口
２３    ハンドル
２５    ダクト
３０    電動送風機
３０ａ  吸気口
３５    コードリール
３６    押しボタン
３７    案内部
３８    電装部
【図１】
0005973751.tif 000002
【図２】
0005973751.tif 000003
【図３】
0005973751.tif 000004
【図４】
0005973751.tif 000005
【図５】
0005973751.tif 000006
【図６】
0005973751.tif 000007
【図７】
0005973751.tif 000008
【図８】
0005973751.tif 000009